(57)【要約】      （修正有）【課題】中央監視端末に表示された画面を、簡単な操作で現場操作端末に表示させることができる中央監視端末、現場操作端末、及びプラント監視制御システムを提供する。【解決手段】プラントの中央監視端末１は、プラント機器のコントローラ３と、携帯型の現場操作端末２と、ネットワークを介して接続される。中央監視端末は、描画データ作成部と、表示部と、を備える。描画データ作成部は、プラントの構成を示すグラフィック画面データと、プラント機器の状変データ及びプロセスデータの少なくとも一方と、を含む描画データを作成する。また、描画データ作成部は、描画データに対応するリンク情報を有する識別コードを作成する。表示部は、描画データ及び識別コードに応じた監視画面を表示させる。【選択図】図１
2017004156.tif 000002
【特許請求の範囲】
【請求項１】
プラント機器のコントローラと、携帯型の現場操作端末と、ネットワークを介して接続される、プラントの中央監視端末であって、
前記プラントの構成を示すグラフィック画面データと、前記プラント機器の状変データ及びプロセスデータの少なくとも一方と、を含む描画データを作成すると共に、前記描画データに対応するリンク情報を有する識別コードを作成する描画データ作成部と、
前記描画データ及び前記識別コードに応じた監視画面を表示させる表示部と、
を備える中央監視端末。
【請求項２】
前記リンク情報は、前記ネットワーク上における前記中央監視端末のアドレスと、前記グラフィック画面データの識別子と、を含む
請求項１に記載の中央監視端末。
【請求項３】
前記識別コードは、バーコード又は２次元コードである
請求項１又は請求項２に記載の中央監視端末。
【請求項４】
前記現場操作端末から前記リンク情報に応じたデータ要求を受信し、受信した前記データ要求に応じた前記グラフィック画像データを前記現場操作端末に送信する
請求項１乃至請求項３のいずれか１項に記載の中央監視端末。
【請求項５】
前記リンク情報に応じたデータ要求は、前記現場操作端末の前記ネットワーク上におけるアドレスと、前記リンク情報に含まれる前記グラフィック画像データの識別子と、を含む
請求項４に記載の中央監視端末。
【請求項６】
前記描画データ作成部は、前記監視画面に設定されたエリア毎に前記識別コードを作成する
請求項１乃至請求項５のいずれか１項に記載の中央監視端末。
【請求項７】
前記リンク情報は、前記監視画面に設定された前記エリアのエリア情報を含む
請求項６に記載の中央監視端末。
【請求項８】
前記描画データ作成部は、前記現場操作端末から受信した前記データ要求に応じた前記描画データを作成する
請求項１乃至請求項７のいずれか１項に記載の中央監視端末。
【請求項９】
前記表示部は、前記現場操作端末から受信した前記データ要求に応じた前記描画データと、前記現場操作端末の識別子と、を前記監視画面に表示させる
請求項１乃至請求項８のいずれか１項に記載の中央監視端末。
【請求項１０】
前記監視画面は、マトリックス状に配置された複数のエリアを有する
請求項１乃至請求項９のいずれか１項に記載の中央監視端末。
【請求項１１】
プラント機器のコントローラと、中央監視端末と、ネットワークを介して接続される、プラントの現場操作端末であって、
前記プラントの構成を示すグラフィック画面データと、前記プラント機器の状変データ及びプロセスデータの少なくとも一方と、を含む描画データを作成する描画データ作成部と、
前記描画データに応じた操作画面を表示させる表示部と、
を備え、
前記中央監視端末の監視画面に表示された識別コードが有するリンク情報に応じたデータ要求を前記中央監視端末に送信し、前記データ要求に応じて前記中央監視端末が送信した前記グラフィック画面データを受信し、受信した前記グラフィック画面データに基づいて前記描画データを作成する現場操作端末。
【請求項１２】
前記リンク情報は、前記ネットワーク上における前記中央監視端末のアドレスと、前記監視画面に表示された前記グラフィック画面データの識別子と、を含む
請求項１１に記載の現場操作端末。
【請求項１３】
前記識別コードは、バーコード又は２次元コードである
請求項１１又は請求項１２に記載の現場操作端末。
【請求項１４】
前記リンク情報に応じたデータ要求は、前記現場操作端末の前記ネットワーク上におけるアドレスと、前記リンク情報に含まれる前記グラフィック画像データの識別子と、を含む
請求項１１乃至請求項１３のいずれか１項に記載の現場操作端末。
【請求項１５】
前記リンク情報は、前記監視画面に設定されたエリアのエリア情報を含む
請求項１１乃至請求項１４のいずれか１項に記載の現場操作端末。
【請求項１６】
請求項１乃至請求項１０のいずれか１項に記載の中央監視端末と、
前記中央監視端末と前記ネットワークを介して接続された請求項１１乃至請求項１５のいずれか１項に記載の現場操作端末と、
を備えるプラント監視制御システム。
【発明の詳細な説明】
【技術分野】
【０００１】
本発明の実施形態は、中央監視端末、現場操作端末、及びプラント監視制御システムに関する。
【背景技術】
【０００２】
一般的に、水処理プラントなどを監視及び制御を行うためのプラント監視制御システムは、中央監視室に設置された中央監視端末と、携帯型の現場操作端末と、ポンプなどのプラント機器を制御するコントローラと、により構成されている。プラント機器の故障などが発生した場合、プラントの運転員は、現場操作端末を持ってプラント機器の設置現場に行き、現場操作端末で故障箇所や関連情報を確認しながら必要な作業を行う。
【０００３】
従来のプラント監視制御システムでは、現場操作端末に所定の画面を表示させる場合、現場操作端末のトップ画面から所定の操作手順に従って順々に画面展開することが必要であった。このため、中央監視端末でプラント機器の故障などを発見した場合、プラント機器の設置現場で故障箇所や関連情報を確認するために、上記の操作手順が必要となり、作業が煩雑になった。
【先行技術文献】
【特許文献】
【０００４】
【特許文献１】特開２０１２−１７４２０１号公報
【特許文献２】特開２０１４−５００９６号公報
【発明の概要】
【発明が解決しようとする課題】
【０００５】
中央監視端末に表示された画面を、簡単な操作で現場操作端末に表示させることができる中央監視端末、現場操作端末、及びプラント監視制御システムを提供する。
【課題を解決するための手段】
【０００６】
一実施形態に係るプラントの中央監視端末は、プラント機器のコントローラと、携帯型の現場操作端末と、ネットワークを介して接続される。中央監視端末は、描画データ作成部と、表示部と、を備える。描画データ作成部は、プラントの構成を示すグラフィック画面データと、プラント機器の状変データ及びプロセスデータの少なくとも一方と、を含む描画データを作成する。また、描画データ作成部は、描画データに対応するリンク情報を有する識別コードを作成する。表示部は、描画データ及び識別コードに応じた監視画面を表示させる。
【図面の簡単な説明】
【０００７】
【図１】第１実施形態に係るプラント監視制御システムを示す図。
【図２】図１の中央監視端末のハードウェア構成の一例を示す図。
【図３】図１の中央監視端末の一例を示す機能ブロック図。
【図４】第１実施形態における監視画面の一例を示す図。
【図５】図１の現場操作端末のハードウェア構成の一例を示す図。
【図６】図１の現場操作端末の一例を示す機能ブロック図。
【図７】第１実施形態に係るプラント監視制御システムにおける操作及び処理を示すうフローチャート。
【図８】第２実施形態における監視画面の一例を示す図。
【図９】第２実施形態における操作画面の一例を示す図。
【図１０】第３実施形態に係る中央監視端末の一例を示す機能ブロック図。
【図１１】第４実施形態における監視画面の一例を示す図。
【図１２】ユーザが撮像した監視画面の領域の一例を示す図。
【図１３】第４実施形態における操作画面の一例を示す図。
【発明を実施するための形態】
【０００８】
以下、本発明の実施形態について図面を参照して説明する。
【０００９】
（第１実施形態）
第１実施形態に係るプラント監視制御システム（以下、単に「システム」という）について、図１〜図７を参照して説明する。本実施形態に係るシステムは、発電プラント、水処理プラント、及び産業プラントなどの、プラントの監視及び制御に利用される。以下では、システムが水処理プラントの監視及び制御に利用される場合について説明する。
【００１０】
図１は、本実施形態に係るシステムを示す図である。図１に示すように、システムは、中央監視端末１と、現場操作端末２と、コントローラ３と、監視用ＬＡＮ４と、を備える。
【００１１】
中央監視端末１は、プラントの中央監視室などに設置された監視端末である。プラントの運転員は、主として中央監視端末１を利用して、プラントの制御や監視を行う。中央監視端末１は、コントローラ３が送信したデータのファイリング機能及び表示機能や、ユーザ（プラントの運転員など）が操作を行うためのユーザインターフェース機能を有する。中央監視端末１について、詳しくは後述する。
【００１２】
現場操作端末２は、携帯型の監視端末である。プラントの運転員は、現場操作端末２を携帯してプラント機器３１が設置された現場へ向かい、プラント機器３１の修理や点検を行う。現場操作端末２は、コントローラ３が送信したデータの表示機能や、ユーザが操作を行うためのユーザインターフェース機能を有する。また、現場操作端末２は、撮像機能を有する。現場操作端末２について、詳しくは後述する。
【００１３】
コントローラ３は、プラント機器３１と接続され、接続されたプラント機器３１を制御する。ここでいうプラント機器３１には、プラントを構成する各種の設備や計器が含まれる。図１の例では、コントローラ３は、プラント機器３１と、Ｉ／Ｏケーブル３２を介して接続されている。水処理プラントの場合、プラント機器３１には、ポンプ、コントロールセンタ、補助継電器盤、及び受配電盤などが含まれる。
【００１４】
また、コントローラ３は、接続されたプラント機器３１から、リアルタイムで状変デーやプロセスデータなどの情報を収集する。状変データとは、プラント機器３１の状態の変化を示すデータである。状変データには、プラント機器３１のＯＮ／ＯＦＦを示すデータなどが含まれる。プロセスデータは、プラント機器３１の計測値や制御値などのプロセス値を示すデータである。コントローラ３は、プラント機器３１から収集した状変データやプロセスデータを、中央監視端末１に送信する。以下では、状変データ及びプロセスデータを総称して、プラントデータという。
【００１５】
監視用ＬＡＮ４は、中央監視端末１と、現場操作端末２と、コントローラ３と、を接続するネットワークである。監視用ＬＡＮ４は、有線ＬＡＮでもよいし、無線ＬＡＮでもよいし、有線ＬＡＮと無線ＬＡＮとの組合せであってもよい。中央監視端末１、現場操作端末２、及びコントローラ３は、監視用ＬＡＮ４を介して互いに情報をやりとりする。
【００１６】
（中央監視端末）
ここで、中央監視端末１について詳細に説明する。図２は、中央監視端末１のハードウェア構成の一例を示す図である。図２に示すように、中央監視端末１は、コンピュータにより構成され、ＣＰＵ（中央演算装置）１０１と、入力装置１０２と、表示装置１０３と、通信装置１０４と、記憶装置１０５と、を備える。各構成は、バス１０６により相互に接続されている。
【００１７】
ＣＰＵ１０１は、中央監視端末１の制御装置及び演算装置を含む電子回路である。ＣＰＵ１０１は、バス１０６を介して接続された各装置（例えば、入力装置１０２、通信装置１０４、記憶装置１０５）から入力されたデータやプログラムに基づいて演算処理を行い、演算結果や制御信号を、バス１０６を介して接続された各装置（例えば、表示装置１０３、通信装置１０４、記憶装置１０５）に出力する。具体的には、ＣＰＵ１０１は、中央監視端末１のＯＳ（オペレーティングシステム）や、プラントの中央監視プログラムなどを実行し、中央監視端末１を構成する各装置を制御する。
【００１８】
中央監視プログラムとは、コンピュータに中央監視端末１の上述の各機能構成を実現させるプログラムである。中央監視プログラムは、一時的でない有形のコンピュータ読み取り可能な記憶媒体に記憶される。上記の記憶媒体は、例えば、光ディスク、光磁気ディスク、磁気ディスク、磁気テープ、フラッシュメモリ、半導体メモリであるが、これに限られない。ＣＰＵ１０１が中央監視プログラムを実行することにより、コンピュータが中央監視端末１として機能する。
【００１９】
入力装置１０２は、中央監視端末１に情報を入力するための装置である。入力装置１０２は、例えば、キーボード、マウス、及びタッチパネルであるが、これに限られない。ユーザは、入力装置１０２を操作することにより、中央監視端末１に各種の情報を入力することができる。
【００２０】
表示装置１０３は、画面や映像を表示するための装置である。表示装置１０３は、例えば、ＬＣＤ（液晶ディスプレイ）、ＣＲＴ（ブラウン管）、及びＰＤＰ（プラズマディスプレイ）であるが、これに限られない。以下では、表示装置１０３に表示された画面を、監視画面Ｍという。
【００２１】
通信装置１０４は、中央監視端末１が外部装置と無線又は有線で通信するための装置である。通信装置１０４は、例えば、モデム、ハブ、及びルータであるが、これに限られない。中央監視端末１は、通信装置１０４を介して監視ＬＡＮ４に接続する。
【００２２】
記憶装置１０５は、中央監視端末１のＯＳや、中央監視プログラム、中央監視プログラムの実行に必要なデータ、及び中央監視プログラムの実行により生成されたデータなどを記憶する記憶媒体である。記憶装置１０５には、主記憶装置と外部記憶装置とが含まれる。主記憶装置は、例えば、ＲＡＭ、ＤＲＡＭ、ＳＲＡＭであるが、これに限られない。また、外部記憶装置は、例えば、ハードディスク、光ディスク、フラッシュメモリ、及び磁気テープであるが、これに限られない。
【００２３】
なお、中央監視端末１は、ＣＰＵ１０１、入力装置１０２、表示装置１０３、通信装置１０４、及び記憶装置１０５を、それぞれ１つ又は複数備えてもよいし、プリンタやスキャナなどの周辺機器を接続されていてもよい。
【００２４】
また、中央監視端末１は、単一のコンピュータにより構成されてもよいし、相互に接続された複数のコンピュータにより構成されてもよい。
【００２５】
さらに、中央監視プログラムは、記憶装置１０５に予め記憶されていてもよいし、監視制御端末１の外部の記憶媒体に記憶されていてもよいし、インターネット上にアップロードされていてもよい。いずれの場合も、中央監視プログラムをコンピュータにインストールして実行することにより、監視制御端末１の機能が実現される。
【００２６】
図３は、中央監視端末１の一例を示す機能ブロック図である。図３に示すように、中央監視端末１は、入力部１１と、表示部１２と、描画データ作成部１３と、画面ＤＢ１４と、プラントＤＢ１５と、外部インターフェース部１６と、を備える。
【００２７】
入力部１１は、ユーザが中央監視端末１を操作するためのユーザインターフェースである。入力部１１は、ユーザが入力装置１０２を操作して入力した情報を受け付ける。
【００２８】
描画データ作成部１２は、入力部１１が受け付けた情報を取得し、取得した情報に応じた表示内容を特定し、特定された表示内容を表示装置１０３に表示させるための描画データを作成する。また、描画データ作成部１２は、作成した描画データに応じた識別コードＣを作成する。描画データ作成部１２について、詳しくは後述する。
【００２９】
表示部１３は、描画データ作成部１２が作成した描画データ及び識別コードＣを取得し、取得したデータに応じた監視画面Ｍを表示装置１０３に表示させる。
【００３０】
画面ＤＢ１４は、複数のグラフィック画面データを格納する。グラフィック画面データとは、プラントの構成の全部又は一部を表した系統図などのグラフィック画面のデータのことである。グラフィック画面データにおいて、プラント機器は、グラフィックシンボルにより表される。各グラフィック画面データは、固有の識別子を有する。画面ＤＢ１４において、グラフィック画面データは、識別子と対応づけて格納される。画面ＤＢ１４は、記憶装置１０５上に構築される。
【００３１】
プラントＤＢ１５は、複数プラントデータを格納する。コントローラ３からリアルタイムに送信されたプラントデータは、プラントＤＢ１５に、時系列でファイリングされる。各プラントデータは、固有の識別子を有する。プラントＤＢ１５において、プラントデータは、識別子と対応づけて格納される。プラントＤＢ１０５は、記憶装置１０５上に構築される。
【００３２】
外部インターフェース部１６は、監視ＬＡＮ４に接続するためのソフトウェアインターフェースである。外部インターフェース部１６は、監視ＬＡＮ４を介して、現場操作端末２やコントローラ３との間で情報のやりとりをする。例えば、外部インターフェース部１６は、コントローラ３から送信されたプラントデータを取得する。
【００３３】
ここで、描画データ作成部１２について詳細に説明する。上述の通り、描画データ作成部１２は、入力部１１が受け付けた情報に応じた表示内容を特定する。具体的には、描画データ作成部１２は、表示内容として、グラフィック画面データの識別子と、プラントデータの識別子と、を特定する。
【００３４】
グラフィック画面データと、プラントデータと、は予め対応づけられていてもよい。この場合、描画データ作成部１２は、グラフィック画面データを特定した後、特定したグラフィック画面データに対応づけられたプラントデータを特定すればよい。
【００３５】
また、グラフィック画面データと、プラントデータと、はユーザの操作によりそれぞれ指定されてもよい。この場合、描画データ作成部１２は、入力部１１が受け付けた情報に応じて、グラフィック画面データの識別子と、プラントデータの識別子と、をそれぞれ特定すればよい。
【００３６】
次に、描画データ作成部１２は、特定した識別子に対応したグラフィック画面データを、画面ＤＢ１４から読み込む。また、描画データ作成部１２は、特定した識別子に対応したプラントデータを、プラントＤＢ１５から読み込む。そして、描画データ作成部１２は、読み込んだグラフィック画面データに、読み込んだプラントデータを埋め込むことにより、描画データを作成する。すなわち、描画データには、グラフィック画面データと、プラントデータと、が含まれる。
【００３７】
また、描画データ作成部１２は、作成した描画データに応じた識別コードＣを作成する。識別コードＣとは、描画データに対応するリンク情報を有する画像のことである。識別コードＣは、例えば、バーコードや２次元コードである。２次元コードには、ＱＲコード（登録商標）、ベリコード、マキシコード、データマトリクス、ＰＤＦ４１７、及びカラー２次元バーコード（High Capacity Color Barcode：HCCB）などが含まれる。
【００３８】
リンク情報とは、描画データ作成部１２が作成した描画データの内容を特定するための情報である。リンク情報には、例えば、中央監視端末１のネットワーク上のアドレスと、描画データに含まれるグラフィック画面データ及びプラントデータの識別子と、が含まれる。
【００３９】
図４は、上記のような描画データ及び識別コードＣに基づいて表示された監視画面Ｍの一例を示す図である。図４に示すように、監視画面Ｍには、グラフィック画面Ｇと、グラフィック画面Ｇ上の所定の位置に表示されたプラントデータと、識別コードＣと、が表示される。図４の例では、識別コードＣは、グラフィック画面Ｇ上に表示されているが、グラフィック画面Ｇの外側に表示されてもよい。また、図４の例では、プラントデータとして、状変データ及びプロセスデータがそれぞれ表示されているが、いずれか一方だけ表示されてもよい。
【００４０】
（現場操作端末）
次に、現場操作端末２について詳細に説明する。図５は、現場操作端末２のハードウェア構成の一例を示す図である。図５に示すように、現場操作端末２は、コンピュータにより構成され、ＣＰＵ２０１と、入力装置２０２と、表示装置２０３と、通信装置２０４と、記憶装置２０５と、カメラ２０６と、を備える。各構成は、バス２０７により相互に接続されている。以下では、中央監視端末１のハードウェア構成との相違点を中心に説明する。
【００４１】
ＣＰＵ２０１は、現場操作プログラムを実行する。現場操作プログラムとは、コンピュータに現場操作端末２の上述の各機能構成を実現させるプログラムである。現場操作プログラムは、一時的でない有形のコンピュータ読み取り可能な記憶媒体に記憶される。ＣＰＵ２０１が現場操作プログラムを実行することにより、コンピュータが現場操作端末２として機能する。
【００４２】
入力装置２０２は、現場操作端末２に情報を入力するための装置である。ユーザは、入力装置２０２を操作することにより、現場操作端末２に各種の情報を入力することができる。
【００４３】
表示装置２０３は、画面や映像を表示するための装置である。以下では、表示装置２０３に表示された画面を、操作画面ｍという。
【００４４】
通信装置２０４は、現場操作端末２が外部装置と無線又は有線で通信するための装置である。現場操作端末２は、通信装置２０４を介して監視ＬＡＮ４に接続する。
【００４５】
記憶装置２０５は、現場操作端末２のＯＳや、現場操作プログラム、現場操作プログラムの実行に必要なデータ、及び現場操作プログラムの実行により生成されたデータなどを記憶する記憶媒体である。
【００４６】
カメラ２０７は、ＣＣＤイメージセンサやＣＭＯＳイメージセンサを備えた撮像装置である。カメラ２０７により撮像された画像は、記憶装置２０５に一時記憶される。そして、一時記憶された画像に対して識別コードＣの読み取り処理が実行される。このため、ユーザがカメラ２０７により監視画面Ｍを撮像すると、監視画面Ｍに表示された識別コードＣの読み取り処理が実行され、リンク情報を取得することができる。
【００４７】
なお、現場操作端末２は、ＣＰＵ２０１、入力装置２０２、表示装置２０３、通信装置２０４、記憶装置２０５、及びカメラ２０６を、それぞれ１つ又は複数備えてもよいし、プリンタやスキャナなどの周辺機器を接続されていてもよい。
【００４８】
また、現場操作プログラムは、記憶装置２０５に予め記憶されていてもよいし、現場操作端末２の外部の記憶媒体に記憶されていてもよいし、インターネット上にアップロードされていてもよい。いずれの場合も、現場操作プログラムをコンピュータにインストールして実行することにより、現場操作端末２の機能が実現される。
【００４９】
図６は、現場操作端末２の一例を示す機能ブロック図である。図６に示すように、現場操作端末２は、入力部２１と、表示部２２と、描画データ作成部２３と、リンク情報ＤＢ２４と、外部インターフェース部２５と、を備える。
【００５０】
入力部２１は、ユーザが現場操作端末２を操作するためのユーザインターフェースである。入力部２１は、ユーザが入力装置２０２を操作して入力した情報を受け付ける。
【００５１】
描画データ作成部２２は、入力部２１が受け付けた情報を取得し、取得した情報に応じた表示内容を特定し、特定された表示内容を表示装置２０３に表示させるための描画データを作成する。描画データ作成部２２について、詳しくは後述する。
【００５２】
表示部２３は、描画データ作成部２２が作成した描画データを取得し、取得したデータに応じた操作画面ｍを表示装置２０３に表示させる。
【００５３】
リンク情報ＤＢ２４は、１つ又は複数のリンク情報、すなわち、中央監視端末１のネットワーク上のアドレスと、グラフィック画面データ及びプラントデータの識別子と、を格納する。上述の通り、ユーザがカメラ２０６で監視画面Ｍを撮像すると、監視画面Ｍに表示された識別コードＣの読み取り処理が実行され、リンク情報が取得される。取得されたリンク情報は、リンク情報ＤＢ２４に記憶される。リンク情報ＤＢ２４は、記憶装置２０５上に構築される。
【００５４】
外部インターフェース部２５は、監視ＬＡＮ４に接続するためのソフトウェアインターフェースである。外部インターフェース部２５は、監視ＬＡＮ４を介して、中央監視端末１やコントローラ３との間で情報のやりとりをする。例えば、外部インターフェース部２５は、中央監視端末１に格納されたグラフィック画面データやプラントデータを取得する。
【００５５】
ここで、描画データ作成部２２について詳細に説明する。上述の通り、描画データ作成部２２は、入力部２１が受け付けた情報に応じた表示内容を特定する。ユーザがリンク情報により特定される表示内容の表示を要求した場合、描画データ作成部２２は、リンク情報ＤＢ２４から、ユーザが選択したリンク情報を取得する。
【００５６】
次に、描画データ作成部２２は、リンク情報を外部インターフェース部２５に渡し、リンク情報に応じたデータの取得を要求する。この要求に応じて、外部インターフェース部２５は、中央監視端末１のアドレスを参照して中央監視端末１の外部インターフェース部１６にアクセスし、外部インターフェース部１６にデータ要求を送信する。すなわち、外部インターフェース部２５が、リンク情報に含まれるグラフィック画面データ及びプラントデータの識別子により特定されるデータの送信を要求する。データ要求には、グラフィック画面データ及びプラントデータの識別子と、現場操作端末２の端末情報と、が含まれる。端末情報には、例えば、現場操作端末２の固有の識別子や、ネットワーク上におけるアドレスが含まれる。
【００５７】
外部インターフェース部１６は、データ要求を受信すると、識別子を参照して、画面ＤＢ１４からグラフィック画面データを取得し、プラントＤＢ１５からプラントデータを取得する。外部インターフェース部１６は、取得したデータを、現場操作端末２の端末情報を参照して、現場操作端末２の外部インターフェース部２５に送信する。外部インターフェース部２５は、外部インターフェース部１６から受信したデータを、描画データ作成部２２に渡す。
【００５８】
そして、描画データ作成部２２は、グラフィック画面データにプラントデータを埋め込むことにより、描画データを作成する。すなわち、描画データには、グラフィック画面データと、プラントデータと、が含まれる。
【００５９】
描画データ作成部２２が作成した描画データに含まれるグラフィックデータ及びプラントデータは、中央監視端末１の描画データ作成部１２が作成した描画データに含まれるグラフィックデータ及びプラントデータと同一である。したがって、操作画面ｍには、監視画面Ｍと同一のグラフィック画面Ｇ及びプロセスデータが表示される。
【００６０】
次に、本実施形態に係るシステムにおける操作及び処理について、図７を参照して具体的に説明する。図７は、本実施形態に係るシステムにおける操作及び処理の流れを示すフローチャートである。以下では、ユーザが中央監視端末１に図４の監視画面Ｍを表示させ、図４の監視画面Ｍと同じ内容の操作画面ｍを現場操作端末２に表示させる場合について説明する。
【００６１】
まず、ユーザは、中央監視端末１の入力装置１０３により、メニューの選択などの操作を行い、中央監視端末１に監視画面Ｍを表示させる（ステップＳ１）。図４に示すように、監視画面Ｍには、表示内容（グラフィック画像Ｇ及びそこに埋め込まれたプロセスデータ）と、表示内容と対応する識別コードＣと、が表示される。
【００６２】
次に、ユーザは、現場操作端末２のカメラ２０６により、監視画面Ｍを撮像する。これにより、監視画面Ｍに表示された識別コードＣが撮像される（ステップＳ２）。識別コードＣを撮像すると、読み取り処理が実行され、識別コードＣが有するリンク情報が取得される（ステップＳ３）。取得されたリンク情報は、リンク情報ＤＢ２４に格納される。
【００６３】
続いて、ユーザは、現場操作端末２の入力装置２０３により、ステップＳ２で撮像した識別コードＣの選択などの操作を行い、監視画面Ｍの表示を現場操作端末２に要求する（ステップＳ４）。
【００６４】
現場操作端末２は、ユーザからの要求に応じて、中央監視端末１に、監視画面Ｍのグラフィック画面データ及びプロセスデータを要求する（ステップＳ５）。具体的には、描画データ作成部２２が、ユーザからの要求に応じて、識別コードＣのリンク情報をリンク情報ＤＢ２４から読み出し、リンク情報を外部インターフェース部２５に渡す。そして、外部インターフェース部２５が、中央監視端末１の外部インターフェース部１６に、データ要求を送信する。
【００６５】
中央監視端末１は、現場操作端末２からの要求に応じて、監視画面Ｍのグラフィック画面データ及びプロセスデータを送信し（ステップＳ６）、送信されたデータを現場操作端末２が受信する（ステップＳ７）。具体的には、外部インターフェース部１６は、外部インターフェース部２５からデータ要求を受信すると、監視画面Ｍのグラフィック画面データ及びプロセスデータを読み出し、読み出したデータを送信する。外部インターフェース部２５は、送信されたデータを受信する。
【００６６】
そして、現場操作端末２の描画データ作成部２２が、受信したグラフィック画面データ及びプロセスデータに基づいて、描画データを作成する（ステップＳ８）。描画データの作成方法は上述の通りである。
【００６７】
描画データ作成部２２が描画データを作成すると、表示部２３が描画データを受け取り、受け取った描画データを表示装置２０３に表示させる。これにより、表示装置２０３には、監視画面Ｍの表示内容と同一内容の操作画面ｍが表示される（ステップＳ９）。
【００６８】
以上説明した通り、本実施形態に係るシステムによれば、ユーザは、中央監視端末１に表示された監視画面Ｍの表示内容と同一の表示内容の操作画面ｍを、識別コードＣ（リンク情報）の選択などの簡単な操作により表示することができる。すなわち、ユーザは、操作画面ｍを表示させるために、トップ画面から所定の操作手順に従って順々に画面展開する必要がない。したがって、本実施形態に係るシステムによれば、中央監視端末１に表示された監視画面Ｍを、簡単な操作で現場操作端末２に表示させることができる。
【００６９】
なお、本実施形態において、操作画面ｍには、識別コードＣが表示されてもよいし、表示されなくてもよい。操作画面ｍに識別コードＣを表示させる場合には、描画データ作成部２２は、リンク情報ＤＢ２４から読み出したリンク情報に基づいて識別コードＣを作成し、作成した識別コードＣを描画データと共に表示部２３に出力すればよい。
【００７０】
（第２実施形態）
第２実施形態に係るシステムについて、図８及び図９を参照して説明する。本実施形態では、監視画面Ｍが１つ又は複数のエリアを有する場合について説明する。ここでいうエリアとは、監視画面Ｍの一部に設定された表示領域のことである。図８は、本実施形態に係る監視画面Ｍの一例を示す図である。図８において、監視画面Ｍには、破線で示した２つのエリアＡ１，Ａ２が設定されている。また、エリアＡ１，Ａ２には、それぞれのエリアに対応する識別コードｃ１，ｃ２がそれぞれ表示されている。以下では、各エリアの識別コードｃについて説明する。
【００７１】
本実施形態において、各エリアの識別コードｃのリンク情報には、中央監視端末１のネットワーク上のアドレスと描画データに含まれるグラフィック画面データ及びプラントデータの識別子に加えて、エリア情報が含まれる。
【００７２】
エリア情報とは、監視画面Ｍにおけるエリアを特定するための情報である。エリア情報は、例えば、各エリアＡに固有の識別子である。エリア情報は、各エリアに対応するグラフィック画面データの一部と、プロセスデータと、に対応づけられる。例えば、図８の例では、エリアＡ１のエリア情報は、図中のグラフィック画面Ｇの左端に表示されるグラフィック画面データ及びプラントデータに対応づけられ、エリアＡ２のエリア情報は、右端に表示されるグラフィック画面データ及びプラントデータに対応づけられる。
【００７３】
エリア情報は、グラフィック画面データ及びプラントデータと対応づけられて、画面ＤＢ１４及びプラントＤＢ１５にそれぞれ格納されてもよいし、画面ＤＢ１４及びプラントＤＢ１５とは別のデータベースに格納されてもよい。
【００７４】
本実施形態において、中央監視端末１の描画データ作成部１２は、ユーザの操作に応じた監視画面Ｍを表示する際、中央監視端末１のネットワーク上のアドレスと、描画データに含まれるグラフィック画面データ及びプラントデータの識別子と、エリア情報と、に基づいて各エリアの識別コードｃを作成する。エリア情報は、予め設定されていてもよいし、描画データ作成部１２が識別コードｃを作成する際に生成し、各エリアＡに割当ててもよい。
【００７５】
各エリアの識別コードｃは、表示部１３により、監視画面Ｍ上にエリアＡと対応づけて表示される。図８の例では、識別コードｃは、対応するエリアＡ内に表示されているが、エリアＡの外側に表示されてもよい。また、エリアＡは、図８に示すように、監視画面Ｍにおいて破線で示されてもよいし、示されなくてもよい。エリアＡの表示方法は任意である。
【００７６】
次に、本実施形態に係るシステムにおける操作及び処理について、図７を参照して具体的に説明する。以下では、ユーザが中央監視端末１に図８の監視画面Ｍを表示させ、図８の監視画面ＭのエリアＡ１を現場操作端末２で撮像した場合について説明する。
【００７７】
まず、ユーザは、中央監視端末１の入力装置１０３により、メニューの選択などの操作を行い、中央監視端末１に監視画面Ｍを表示させる（ステップＳ１）。図８に示すように、監視画面Ｍには、表示内容（グラフィック画像Ｇ及びそこに埋め込まれたプロセスデータ）と、表示内容と対応する識別コードＣと、エリアＡ１，Ａ２と、各エリアに対応する識別コードｃ１，ｃ２と、が表示される。
【００７８】
次に、ユーザは、現場操作端末２のカメラ２０６により、監視画面ＭのエリアＡ１を撮像する。これにより、監視画面ＭのエリアＡ１に表示された識別コードｃ１が撮像される（ステップＳ２）。カメラ２０６が識別コードｃ１を撮像すると、読み取り処理が実行され、識別コードｃ１が有するリンク情報が取得される（ステップＳ３）。ここで取得されるリンク情報には、中央監視端末１のネットワーク上のアドレスと、監視画面Ｍに対応するグラフィック画面データ及びプラントデータの識別子と、エリアＡ１のエリア情報と、が含まれる。取得されたリンク情報は、リンク情報ＤＢ２４に格納される。
【００７９】
続いて、ユーザは、現場操作端末２の入力装置２０３により、ステップＳ２で撮像した識別コードｃ１の選択などの操作を行い、監視画面ＭのエリアＡ１の表示を現場操作端末２に要求する（ステップＳ４）。
【００８０】
現場操作端末２は、ユーザからの要求に応じて、中央監視端末１に、監視画面ＭのエリアＡ１に対応するグラフィック画面データ及びプロセスデータを要求する（ステップＳ５）。具体的には、描画データ作成部２２が、ユーザからの要求に応じて、識別コードｃ１のリンク情報をリンク情報ＤＢ２４から読み出し、リンク情報を外部インターフェース部２５に渡す。そして、外部インターフェース部２５が、中央監視端末１の外部インターフェース部１６に、データ要求を送信する。すなわち、外部インターフェース部２５が、リンク情報に含まれるグラフィック画面データ及びプラントデータの識別子により特定されるデータの送信を要求する。データ要求には、グラフィック画面データ及びプラントデータの識別子と、現場操作端末２の端末情報と、エリアＡ１のエリア情報と、が含まれる。
【００８１】
中央監視端末１は、現場操作端末２からの要求に応じて、監視画面ＭのエリアＡ１に対応するグラフィック画面データ及びプロセスデータを送信し（ステップＳ６）、送信されたデータを現場操作端末２が受信する（ステップＳ７）。具体的には、外部インターフェース部１６が、外部インターフェース部２５からデータ要求を受信すると、監視画面ＭのエリアＡ１に対応するグラフィック画面データ及びプロセスデータを読み出し、読み出したデータを送信する。外部インターフェース部２５が、送信されたデータを受信する。
【００８２】
そして、現場操作端末２の描画データ作成部２２が、受信したグラフィック画面データ及びプロセスデータに基づいて、描画データを作成する（ステップＳ８）。描画データの作成方法は上述の通りである。
【００８３】
描画データ作成部２２が描画データを作成すると、表示部２３が描画データを受け取り、受け取った描画データを表示装置２０３に表示させる。これにより、表示装置２０３には、図９に示すように、監視画面ＭのエリアＡ１の表示内容と同一内容の操作画面ｍが表示される（ステップＳ９）。
【００８４】
以上説明した通り、本実施形態に係るシステムによれば、中央監視端末１に表示された監視画面Ｍの一部を、簡単な操作で現場操作端末２に表示させることができる。
【００８５】
（第３実施形態）
第３実施形態に係るシステムについて、図１０を参照して説明する。本実施形態では、現場操作端末２に表示された画面を、中央監視端末１に表示可能なシステムについて説明する。図１０は、本実施形態に係る中央監視端末１の一例を示す機能ブロック図である。図１０に示すように、本実施形態に係る中央監視端末１は、データ要求ＤＢ１７を更に備える。他の構成は、第１実施形態と同様である。
【００８６】
上述の通り、現場操作端末２は、監視画面Ｍ又はその一部のエリアを、操作画面ｍに表示させる際、中央監視端末１にデータ要求を送信する。本実施形態では、中央監視端末１は、現場操作端末２から受信したデータ要求を、データ要求ＤＢ１７に格納する。データ要求は、データ要求ＤＢ１７において、現場操作端末２毎に時系列でファイリングされるのが好ましい。データ要求ＤＢ１７は、記憶装置１０５上に構築される。
【００８７】
そして、本実施形態において、中央監視端末１は、ユーザからの要求に応じて、データ要求ＤＢ１７に格納されたデータ要求に対応する監視画面Ｍを表示する。
【００８８】
具体的には、ユーザが、中央監視端末１に、ある現場操作端末２の操作画面の表示を要求した場合、中央監視端末１の描画データ作成部１２は、データ要求ＤＢ１７から現場操作端末２のデータ要求を読み出し、データ要求に含まれるグラフィック画面データ及びプラントデータの識別子（及びエリアＡのエリア情報）と、現場操作端末２の固有の識別子と、を取得する。
【００８９】
次に、描画データ作成部１２は、取得したグラフィック画面データ及びプラントデータの識別子（及びエリア情報）に基づいて、画面ＤＢ１４及びプラントＤＢ１５から、グラフィック画面データ及びプラントデータをそれぞれ読み出し、描画データを作成する。この際、描画データ作成部１２は、識別コードを作成してもよいし、しなくてもよい。
【００９０】
そして、表示部１３が、作成された描画データと、現場操作端末２の固有の識別子と、を中央監視端末１の表示装置２０３に表示させる。こうして表示された監視画面Ｍの表示内容は、データ要求を送信した現場操作端末２の操作画面ｍの表示内容と同一となる。
【００９１】
このように、本実施形態に係るシステムによれば、現場操作端末２の操作画面ｍを、中央監視端末１に容易に表示させることができる。すなわち、監視画面Ｍ及び操作画面ｍの表示内容を同期させることができる。これにより、中央監視室で中央監視端末１を使用しているユーザと、プラント機器の設置現場で現場操作端末２を使用しているユーザと、の間での情報共有が容易となり、ユーザ間での指示や連絡をスムーズに行うことができる。
【００９２】
なお、データ要求ＤＢ１７には、識別コードに応じたデータ要求に限らず、現場操作端末２から受信した任意のデータ要求が格納されてもよい。例えば、現場操作端末２の所定の操作手順に従って順々に画面展開する場合、現場操作端末２は、展開される画面に応じたグラフィック画像データ及びプラントデータを中央監視端末１に要求する。すなわち、現場操作端末２は、中央監視端末１にデータ要求を送信する。
【００９３】
このような、現場操作端末２の一般的な画面変更に伴うデータ要求をデータ要求ＤＢ１７に格納することにより、データ要求ＤＢ１７には、各現場操作端末２からの最新のデータ要求が格納される。こうして格納されたデータ要求に応じて監視画面Ｍを表示することにより、監視画面Ｍの表示内容を、操作画面ｍの最新の表示内容に同期させることができる。
【００９４】
（第４実施形態）
第４実施形態に係るシステムについて、図１１〜図１３を参照して説明する。本実施形態では、監視画面Ｍがマトリクス状に配置された複数のエリアを有する場合について説明する。
【００９５】
図１１は、本実施形態に係る監視画面Ｍの一例を示す図である。図１１において、監視画面Ｍには、破線で示した３２個のエリアＡ１〜Ａ３２が設定されている。各エリアＡ１〜Ａ３２は、同一形状を有し、監視画面Ｍ上にマトリクス状に配置されている。言い換えると、監視画面Ｍを縦方向及び横方向に均等に分割して得られる各表示領域が、各エリアとなっている。図１１に示すように、各エリアＡ１〜Ａ３２には、それぞれのエリアに対応する識別コードｃ１〜ｃ３２がそれぞれ表示されている。
【００９６】
次に、本実施形態に係るシステムにおける操作及び処理について、図７を参照して具体的に説明する。以下では、ユーザが中央監視端末１に図１１の監視画面Ｍを表示させ、図１１の監視画面Ｍの一部を現場操作端末２で撮像した場合について説明する。
【００９７】
まず、ユーザは、中央監視端末１の入力装置１０３により、メニューの選択などの操作を行い、中央監視端末１に監視画面Ｍを表示させる（ステップＳ１）。図１１に示すように、監視画面Ｍには、表示内容（グラフィック画像Ｇ及びそこに埋め込まれたプロセスデータ）と、エリアＡ１〜Ａ３２と、各エリアに対応する識別コードｃ１〜ｃ３２と、が表示される。
【００９８】
次に、ユーザは、現場操作端末２のカメラ２０６により、監視画面Ｍの一部を撮像する。ここでは、ユーザが、図１２において一点鎖線で囲まれた領域Ｐを撮像したものとする。図１２に示すように、領域Ｐには、エリアＡ１３〜Ａ１６，Ａ２１，Ａ２９の一部と、エリアＡ２２〜Ａ２４，Ａ３０〜Ａ３２の全部と、が含まれる。ユーザが領域Ｐを撮像することにより、領域Ｐに含まれる識別コードｃ１３〜ｃ１６，ｃ２１〜ｃ２４，ｃ２９〜ｃ３２が撮像される（ステップＳ２）。
【００９９】
カメラ２０６が識別コードｃ１３〜ｃ１６，ｃ２１〜ｃ２４，ｃ２９〜ｃ３２を撮像すると、読み取り処理が実行され、識別コードｃ１３〜ｃ１６，ｃ２１〜ｃ２４，ｃ２９〜ｃ３２が有するリンク情報がそれぞれ取得される（ステップＳ３）。ここで取得されるリンク情報には、中央監視端末１のネットワーク上のアドレスと、監視画面Ｍに対応するグラフィック画面データ及びプラントデータの識別子と、エリア識別Ａ１３〜Ａ１６，Ａ２１〜Ａ２４，Ａ２９〜Ａ３２のエリア情報と、が含まれる。取得されたリンク情報は、リンク情報ＤＢ２４に格納される。
【０１００】
続いて、ユーザは、現場操作端末２の入力装置２０３により、ステップＳ２で撮像した監視画面Ｍの領域Ｐの選択などの操作を行い、監視画面Ｍの領域Ｐの表示を現場操作端末２に要求する（ステップＳ４）。
【０１０１】
現場操作端末２は、ユーザからの要求に応じて、中央監視端末１に、監視画面Ｍの領域Ｐに対応するグラフィック画面データ及びプロセスデータを要求する（ステップＳ５）。具体的には、描画データ作成部２２が、ユーザからの要求に応じて、識別コードｃ１３〜ｃ１６，ｃ２１〜ｃ２４，ｃ２９〜ｃ３２のリンク情報をリンク情報ＤＢ２４から読み出し、リンク情報を外部インターフェース部２５に渡す。そして、外部インターフェース部２５が、中央監視端末１の外部インターフェース部１６に、データ要求を送信する。すなわち、外部インターフェース部２５が、リンク情報に含まれるグラフィック画面データ及びプラントデータの識別子により特定されるデータの送信を要求する。データ要求には、グラフィック画面データ及びプラントデータの識別子と、現場操作端末２の端末情報と、エリアＡ１３〜Ａ１６，Ａ２１〜Ａ２４，Ａ２９〜Ａ３２のエリア情報と、が含まれる。
【０１０２】
中央監視端末１は、現場操作端末２からの要求に応じて、監視画面ＭのエリアＡ１３〜Ａ１６，Ａ２１〜Ａ２４，Ａ２９〜Ａ３２に対応するグラフィック画面データ及びプロセスデータを送信し（ステップＳ６）、送信されたデータを現場操作端末２が受信する（ステップＳ７）。具体的には、外部インターフェース部１６が、外部インターフェース部２５からデータ要求を受信すると、監視画面ＭのエリアＡ１３〜Ａ１６，Ａ２１〜Ａ２４，Ａ２９〜Ａ３２に対応するグラフィック画面データ及びプロセスデータを読み出し、読み出したデータを送信する。外部インターフェース部２５が、送信されたデータを受信する。
【０１０３】
そして、現場操作端末２の描画データ作成部２２が、受信したグラフィック画面データ及びプロセスデータに基づいて、描画データを作成する（ステップＳ８）。描画データの作成方法は上述の通りである。
【０１０４】
描画データ作成部２２が描画データを作成すると、表示部２３が描画データを受け取り、受け取った描画データを表示装置２０３に表示させる。これにより、表示装置２０３には、図１３に示すように、監視画面ＭのエリアＡ１３〜Ａ１６，Ａ２１〜Ａ２４，Ａ２９〜Ａ３２の表示内容と同一内容の操作画面ｍが表示される（ステップＳ９）。
【０１０５】
以上説明した通り、本実施形態に係るシステムによれば、中央監視端末１に表示された監視画面Ｍの一部を、簡単な操作で現場操作端末２に表示させることができる。より詳細には、ユーザが撮像した監視画面Ｍの任意の領域Ｐに対応する複数のエリアを、領域Ｐに含まれる識別コードから自動的に特定し、現場操作端末２に表示することができる。このため、ユーザは、簡単な操作で監視画面Ｍの任意の一部を現場操作端末２に表示させることができる。
【０１０６】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【０１０７】
１：中央監視端末、２：現場操作端末、３：コントローラ、４：監視ＬＡＮ、１１：入力部、１２：描画データ作成部、１３：表示部、１４：画面ＤＢ、１５：プラントＤＢ、１６：外部インターフェース部、１７：データ要求ＤＢ、２１：入力部、２２：描画データ作成部、２３：表示部、２４：リンク情報ＤＢ、２５：外部インターフェース部、３１：プラント機器、３２：Ｉ／Ｏケーブル、１０１：ＣＰＵ、１０２：入力装置、１０３：表示装置、１０４：通信装置、１０５：記憶装置、１０６：バス、２０１：ＣＰＵ、２０２：入力装置、２０３：表示装置、２０４：通信装置、２０５：記憶装置、２０６：カメラ、２０７：バス、Ｍ：監視画面、ｍ：操作画面、Ｇ：グラフィック画面、Ｃ，ｃ：識別コード、Ａ：エリア
【図１】
2017004156.tif 000003
【図２】
2017004156.tif 000004
【図３】
2017004156.tif 000005
【図４】
2017004156.tif 000006
【図５】
2017004156.tif 000007
【図６】
2017004156.tif 000008
【図７】
2017004156.tif 000009
【図８】
2017004156.tif 000010
【図９】
2017004156.tif 000011
【図１０】
2017004156.tif 000012
【図１１】
2017004156.tif 000013
【図１２】
2017004156.tif 000014
【図１３】
2017004156.tif 000015